(57)【要約】【課題】販売価格を変更する際に、価格変更に必要な部品を紛失することが無く、変更の際の手間を最小限に抑えることができ、また、価格変更に必要な部品を安価に製造でき、しかも変更作業を容易に行うことができる自動販売機の価格表示装置を提供する。【解決手段】商品展示棚に価格表示板２２を着脱自在に設け、この価格表示板２２に表示用窓領域２４を形成し、価格表示板２２における表示用窓領域２４およびその近傍箇所の価格表示板２２の裏面部分に沿ってスライド自在で、複数個の数字が記載された可動体２５を設け、可動体２５を、可撓性を有する薄肉の板状シート材で構成し、この可動体２５に、可動体２５を価格表示板２２の裏面側に通す左縦孔部２２ａおよび右縦孔部２２ｂと、手前側に露出した姿勢に維持する露出姿勢維持部２２ｃとを形成した。これにより、価格の変更作業を容易に行うことができて作業能率を向上させることができる。【選択図】図８
2008243101.tif 000002
【特許請求の範囲】
【請求項１】
価格表示板における販売価格の少なくとも一桁の部分に対応させて表示用窓領域を設け、
前記価格表示板における前記表示用窓領域およびその近傍箇所の前記価格表示板裏面部分に沿ってスライド自在で、スライド方向に間隔をあけて複数個の数字が記載された可動体を設け、
前記価格表示板の前記表示用窓領域に、前記可動体における、販売価格のうちの少なくとも一桁の数字に対応する数字部分が露出して表示するように、前記可動体をスライドさせることで販売価格を変更可能に構成し、
前記可動体を、可撓性を有する薄肉の板状シート材で構成し、
前記価格表示板における前記表示用窓領域に、前記可動体における前記表示用窓領域により手前側に露出する部分を表示窓領域に設けた係止部により裏面から支持し、他の部分は表示窓領域の両端部から裏面側に入り込ませた
ことを特徴とする自動販売機の価格表示装置。
【請求項２】
価格表示板における表示用窓領域の両端部に、前記可動体における前記表示用窓領域により手前側に露出する部分から一側方側に続く部分を前記価格表示板の裏面側に通過させる孔部をそれぞれ形成し、これらの孔部の間に係止部を形成した
ことを特徴とする請求項１記載の自動販売機の価格表示装置。
【請求項３】
価格表示板における表示用窓領域が設けられている箇所に、表示用窓領域における両端部の孔部の一部同士を接続する連通孔部を形成したことを特徴とする請求項２記載の自動販売機の価格表示装置。
【請求項４】
価格表示板の裏面における表示用窓領域またはその近傍に、表面側または裏面側に突出して、可動体の姿勢がずれることを規制する姿勢規制部を設けたことを特徴とする請求項１〜３の何れか１項に記載の自動販売機の価格表示装置。
【請求項５】
価格表示板が配設される箇所の裏面側に、可動体における価格表示板の裏面側に配設されている部分を価格表示板と協働して挟持する板状体を、価格表示板の裏面に密接させて配設し、
価格表示板と板状体とにより可動体における価格表示板の裏面側に配設されている部分を挟持した状態で前記価格表示板と板状体とを、商品見本が展示されている商品展示棚の前面部に収納した
ことを特徴とする請求項１〜４の何れか１項に記載の自動販売機の価格表示装置。
【発明の詳細な説明】
【技術分野】
【０００１】
本発明は自動販売機の価格表示装置に関する。
【背景技術】
【０００２】
自動販売機においては、前面扉の上部に、商品展示棚上に複数の商品見本を横方向に等間隔で並べて展示している展示室が設けられている。一般に商品展示棚は上下に複数段設けられ、各商品展示棚に、前記複数の商品見本が載置されている。
【０００３】
商品展示棚における手前側に突出している前面部には、商品見本に対応して、この商品見本の商品の販売価格を表示する価格表示部が設けられている。従来の自動販売機では、商品展示棚における価格表示部毎に、販売価格を記載した価格ラベルを貼り付けたり、価格表示用のホルダを設けてこのホルダ内に販売価格を記載した価格シートを収容したりすることで、販売価格を表示している。なお、使用しない予備の価格ラベルや価格シートは、一般に、付属品として袋などに入れられるなどして保管される。
【０００４】
ところで、販売商品の変更や販売商品の価格変更などに伴って販売価格を変更する際には、価格ラベルを貼り替えたり、価格シートを交換したりしなければならない。しかし、価格変更時において、付属品である価格ラベルや価格シートを紛失している場合があり、この場合には、価格表示の変更ができないことになる。
【０００５】
また、価格ラベルを貼り直す場合には、まず、予備の価格ラベルを入れている袋から価格ラベルを取り出し、価格ラベルの裏面に貼り付けられている裏紙を剥離し、所定の価格表示部に貼り付けなければならないため、多くの手間や時間がかかる。また、価格ラベルを少しでも斜めに貼り付けてしまうと見栄えが悪いため、所定の姿勢となるように丁寧に貼らなければならず、このような貼り付け作業のために、さらに多くの手間が掛かっていた。
【０００６】
また、価格シートを用いる場合においても、予備の価格シートを入れている袋を保管場所から持ちだし、この袋から価格シートを取り出して、変更価格に合った価格シートを捜さなければならず、この場合にも比較的多くの手間が掛かっていた。
【０００７】
このような問題に対処するものとして、特許文献１や特許文献２に示されているものがある。
特許文献１に示されている自動販売機の展示装置においては、図１０〜図１２に示すように、商品展示棚５１において商品見本５２に対応するように開口させた表示用窓５３を形成し、この商品展示棚５１の裏面における表示用窓５３およびこの近傍箇所に密接させるように、横長の表示用部材５４を左右にスライド自在に嵌め込み、前記表示用部材５４の前面部に、互いに異なる価格を記載した複数組（例えば３枚で１組）の価格ラベル５５を横並びに貼り付け（例えば、１つの表示用窓５３に対応する１組において「￥１００」、「￥１１０」、「￥１５０」と印刷されたラベルを左右に複数組並べて貼り付け）ている。そして、販売価格を変更する際には、前面扉５６の裏側に設けられた中扉５７を開けて展示室５８を外部に露出させた状態で、商品展示棚５１の裏側に下から手を差し込むなどして、表示用部材５４を横方向にスライドさせることで、表示用窓領域５３から見える販売価格を一斉に変更できるよう構成されている。
【０００８】
なお、表示用部材５４は、その断面形状が、商品展示棚５１に沿って複数箇所で屈曲された形状とされ、表示用部材５４を商品展示棚５１の裏面側に押圧する付勢ばね５９なども設けられており、商品展示棚５１の裏面に確実に沿うように、比較的厚肉で剛性を有する材料で形成される。
【０００９】
特許文献２に示されている自動販売機の展示装置においては、図１３、図１４に示すように、商品展示棚６１において商品見本６２に対応するように価格表示部６８を設け、この価格表示部６８に表示される価格の１０円単位の部分に相当する数字の１桁に対応する箇所に表示用窓６３を開口させて形成し、商品展示棚６１の価格表示部６８における表示用窓６３の左隣には「￥１」と記載され、また、右隣には「０」と記載している。また、この商品展示棚６１の裏面における表示用窓６３およびこの近傍箇所に、複数の数字が横並びに間隔を空けて記載された（例えば、間隔を空けて、「０」、「１」、「２」、「３」、「４」と記載されている）横長の表示用部材６４を、各価格表示部６８毎に各別に左右にスライド自在に嵌め込んでいる。そして、価格を変更する際には、展示室６７を外部に露出させた状態で、商品展示棚６１の裏側に下方から手を差し込んで、表示用部材６４を横方向にスライドさせることで、表示用窓６３から見える販売価格の１０円単位の部分を変更できるよう構成されている。
【００１０】
なお、表示用部材６４は、その断面形状が、商品展示棚６１に沿って断面コ字状に屈曲された形状とされ、商品展示棚６１の裏面に確実に沿うように、比較的厚肉で剛性を有する材料で形成される。
【００１１】
これらの特許文献１、２に示されている構造によれば、複数通りの金額がはじめから記載されている表示用部材５４、６４を商品展示棚５１、６１に沿ってスライドさせることにより、価格を変更させる構成であるので、表示用部材５４、６４を紛失するおそれがない。また、価格ラベルや価格シートを、これらの予備を入れている袋から取り出さなくて済むので、その分だけ手間を省くことができる。さらに、表示用部材５４、６４をスライドさせる構造であるので、表示用部材５４、６４の姿勢が悪くなることによる体裁の低下を招くおそれも少ない。
【特許文献１】実開平５−７５８７７号公報
【特許文献２】実開平５−７９６８３号公報
【発明の開示】
【発明が解決しようとする課題】
【００１２】
しかし、特許文献１に示されている構造によれば、表示用部材５４を横方向にスライドさせることで、表示用窓領域５３から見える販売価格が一斉に変更される構成であるので、個別に商品の販売価格を変更できないという欠点がある。
【００１３】
これに対して、特許文献２に示されている構造では、価格表示部６８毎に表示用部材６４が別個に設けられているので、各表示用部材６４を個別に横方向にスライドさせることで、各価格表示部６８毎に個別に商品の販売価格を変更できる。
【００１４】
しかしながら、特許文献１、２に示されている何れの構造においても、表示用部材５４、６４は、商品展示棚５１、６１に良好に沿うように剛性を有する厚肉の部材で構成する必要があるので、部品コストが比較的高価になるという課題がある。また、価格を変更する際には、商品展示棚５１、６１の裏側に下方から手を差し込んで、表示用部材５４、６４を掴み（表示用部材５４、６４における掴んでいる箇所は見えていない）、表示用部材５４、６４を横方向にスライドさせなければならないので、この表示用部材５４、６４のスライド動作が非常に行い難く、作業性が悪いという課題もある。
【００１５】
さらに、表示用部材５４、６４により表示されている部分は、表示用窓５３、６３における、商品展示棚５１、６１の前面部の表面から、商品展示棚５１、６１の厚み分だけ奥まった位置であるので、この表示用窓５３、６３の肉厚部分の枠が段差状に見えて、その分だけ体裁が悪くなったり、自動販売機が屋外に配設されている場合に、日中に日差しの方向によっては肉厚部分によって表示用窓５３、６３の内側に影ができ、表示部分が見え難くなったりするおそれもある。
【００１６】
本発明は上記課題を解決するもので、販売価格を変更する際に、価格変更に必要な部品を紛失することが無く、変更の際の手間を最小限に抑えることができ、また、価格変更に必要な部品を安価に製造でき、しかも変更作業を容易に行うことができる自動販売機の価格表示装置を提供することを目的とするものである。
【課題を解決するための手段】
【００１７】
上記課題を解決するために本発明の自動販売機の価格表示装置は、価格表示板における販売価格の少なくとも一桁の部分に対応させて表示用窓領域を設け、前記価格表示板における前記表示用窓領域およびその近傍箇所の前記価格表示板裏面部分に沿ってスライド自在で、スライド方向に間隔をあけて複数個の数字が記載された可動体を設け、前記価格表示板の前記表示用窓領域に、前記可動体における、販売価格のうちの少なくとも一桁の数字に対応する数字部分が露出して表示するように、前記可動体をスライドさせることで販売価格を変更可能に構成し、前記可動体を、可撓性を有する薄肉の板状シート材で構成し、前記価格表示板における前記表示用窓領域に、前記可動体における前記表示用窓領域により手前側に露出する部分を表示窓領域に設けた係止部により裏面から支持し、他の部分は表示窓領域の両端部から裏面側に入り込ませたことを特徴とする。
【００１８】
この構成により、販売価格を変更する際には、可動体をスライドさせるだけで販売価格を容易に変更することができ、変更作業を容易に行うことができて作業性がよい。また、価格変更に必要な部品である可動体を紛失することがないので、価格表示の変更ができないなどの不具合を発生することがなく、可動体は可撓性を有する薄肉の板状シート材で構成するため、安価に製造できる。さらに、可動体における表示用窓領域に露出している部分は係止部により手前側に露出するので、価格表示板における表示用窓領域の肉厚部分の枠が段差状に見えたりすることがなく、これによっても良好な体裁を保つことができる。また、自動販売機が屋外に配設されている場合に、日中に日差しの方向にかかわらず、表示部分に影ができ難く、影により表示部分が見え難くなったりするおそれがなく、良好に視認できる。
【００１９】
また、本発明は、価格表示板における表示用窓領域の両端部に、前記可動体における前記表示用窓領域により手前側に露出する部分から一側方側に続く部分を前記価格表示板の裏面側に通過させる孔部をそれぞれ形成し、これらの孔部の間に係止部を形成したことを特徴とし、このように簡単な構成で、係止部により手前側に露出させながら、残りの部分を裏面側に良好に配設できる。
【００２０】
また、本発明の自動販売機の価格表示装置は、価格表示板における表示用窓領域が設けられている箇所に、表示用窓領域における両端部の孔部の一部同士を接続する連通孔部を形成したことを特徴とする。
【００２１】
この構成によれば、両端部の孔部の一部同士が連通孔部を介して繋がっているので、連通孔部から孔部側に向けて可動体を表示用窓領域内に挿入させて、表示用窓領域から係止部に対応する箇所が露出するように可動体を容易に装着することができ、価格表示板に対する可動体の取り付け作業を容易化できる。
【００２２】
また、本発明の自動販売機の価格表示装置は、価格表示板の裏面における表示用窓領域またはその近傍に、表面側または裏面側に突出して、可動体の姿勢がずれることを規制する姿勢規制部を設けたことを特徴とする。
【００２３】
この構成により、可動体の姿勢がずれて、表示価格の見栄えが悪くなることを防止することができる。
また、本発明の自動販売機の価格表示装置は、価格表示板が配設される箇所の裏面側に、可動体における価格表示板の裏面側に配設されている部分を価格表示板と協働して挟持する板状体を、価格表示板の裏面に密接させて配設し、価格表示板と板状体とにより可動体における価格表示板の裏面側に配設されている部分を挟持した状態で前記価格表示板と板状体とを、商品見本が展示されている商品展示棚の前面部に収納したことを特徴とする。
【００２４】
この構成により、価格表示板と板状体とにより可動体における価格表示板の裏面側に配設されている部分を挟持することができ、可動体における価格表示板の裏面側に配設されている部分が外側に出っ張るなどして邪魔になることなく、価格表示板と板状体とを商品展示棚の前面部に良好に装着することができ、作業性が良好となる。
【発明の効果】
【００２５】
本発明によれば、価格表示板における販売価格の少なくとも一桁の部分に対応させて表示用窓領域を設け、前記価格表示板における前記表示用窓領域およびその近傍箇所の前記価格表示板裏面部分に沿ってスライド自在で、スライド方向に間隔をあけて複数個の数字が記載された可動体を設け、前記価格表示板の前記表示用窓領域に、前記可動体における、販売価格のうちの少なくとも一桁の数字に対応する数字部分が露出して表示するように、前記可動体をスライドさせることで販売価格を変更可能に構成し、前記可動体を、可撓性を有する薄肉の板状シート材で構成し、前記価格表示板における前記表示用窓領域に、前記可動体における前記表示用窓領域により手前側に露出する部分を表示窓領域に設けた係止部により裏面から支持し、他の部分は表示窓領域の両端部から裏面側に入り込ませたことにより、販売価格を変更する際には、可動体をスライドさせるだけで販売価格を容易に変更することができ、変更作業を容易に行うことができて作業能率を向上させることができる。また、価格変更に必要な部品である可動体を紛失することが無いので、価格表示の変更ができないなどの不具合を発生することがなく、可動体は可撓性を有する薄肉の板状シート材で構成するため、安価に製造できる。さらに、可動体における表示用窓領域によって露出している部分は、価格表示板の表面と略同一面となった状態で露出するので、良好な体裁を保つことができ、日中に日差しの方向にかかわらず表示部分に影ができなくて、良好に視認できる。
【００２６】
また、価格表示板における表示用窓領域の両端部に、前記可動体における前記表示用窓領域により手前側に露出する部分から一側方側に続く部分を前記価格表示板の裏面側に通過させる孔部をそれぞれ形成し、これらの孔部の間に係止部を形成することにより、簡単な構成で、係止部により手前側に露出させながら、残りの部分を裏面側に良好に配設できる。
【００２７】
また、本発明の自動販売機の価格表示装置は、価格表示板における表示用窓領域が設けられている箇所に、表示用窓領域における両端部の孔部の一部同士を接続する連通孔部を形成したことことにより、価格表示板に対する可動体の表示用窓領域への取り付け作業を容易化でき、これによっても作業能率を向上させることができる。
【００２８】
また、価格表示板の裏面における表示用窓領域またはその近傍に、表面側または裏面側に突出して、可動体の姿勢がずれることを規制する姿勢規制部を設けることにより、可動体の姿勢がずれて、表示価格の見栄えが悪くなることを防止することができ、信頼性が向上する。
【００２９】
また、価格表示板が配設される箇所の裏面側に、可動体における価格表示板の裏面側に配設されている部分を価格表示板と協働して挟持する板状体を、価格表示板の裏面に密接させて配設し、価格表示板と板状体とにより可動体における価格表示板の裏面側に配設されている部分を挟持した状態で前記価格表示板と板状体とを、商品見本が展示されている商品展示棚の前面部に収納したことにより、価格表示板と板状体とにより可動体における価格表示板の裏面側に配設されている部分を挟持することができて、可動体における価格表示板の裏面側に配設されている部分が外側に出っ張るなどして邪魔になることなく、価格表示板と板状体とを商品展示棚の前面部に良好に装着することができ、作業性が良好となる。
【発明を実施するための最良の形態】
【００３０】
以下、本発明の実施の形態を図面を参照しながら説明する。図１および図２は本発明の実施の形態に係る自動販売機の正面図および断面図、図３は同自動販売機の展示室の要部正面図、図４は同展示室の商品展示棚およびその近傍箇所の簡略的な側面断面図である。
【００３１】
図１、図２において、１は、商品２が収納されている自動販売機本体３に回転可能に支持されている前面扉で、この前面扉１の上部に、商品展示棚４上に複数の商品見本５を横方向に並べて展示している展示室６が設けられている。商品展示棚４は、展示室６内において上下に複数段（本実施の形態では２段）設けられており、各商品展示棚４上に複数の商品見本５が、横方向に間隔をあけて立設姿勢で並べられている。前面扉１の裏面側には、展示室６の背面部をなすとともに前面扉１に対して後方に開閉自在である中扉（背面扉）７が設けられており、係員などが、前面扉１を開けた状態で、所定の操作を行うことで、中扉７を前面扉１から後方に開けて、展示室６を外部に露出可能に構成されている。なお、図１、図２における、１１は、商品２を選択するための商品選択ボタン、１２は、商品２が排出される商品取出口、１３は、展示室６の前面に位置するように前面扉１に固定された透明パネル、１４は、展示室６内や、商品見本５、後述する冷温表示部１６を照らす蛍光灯などの照明装置である。
【００３２】
図３に示すように、商品展示棚４において手前側に突出した前面部には、商品見本５に対応した間隔（ピッチ）で、商品見本５に対応する商品の販売価格を表示する複数の価格表示部（販売価格が表示されている領域）２０が設けられ、さらにこの下方に、ＨＯＴ商品が並べられている領域またはＣＯＬＤ商品が並べられている領域を示す冷温表示部２１が設けられている（すなわち、上側に価格表示部２０が設けられ、下側に冷温表示部２１が配設されている）。
【００３３】
概略的には、価格表示部２０や冷温表示部２１は、商品見本５に対応する位置にそれぞれ販売価格が表示された価格表示板２２（図７（ａ）参照）と、ＨＯＴ商品の領域を示す部分とＣＯＬＤ商品の領域を示す部分とが上下に反対向きに印刷された板状体としての冷温表示板２３と（図７（ｂ）参照）が、商品展示棚４の前面部によって、前後に重ねられた（価格表示板２２が前側、冷温表示板２３が後側）状態（図７（ｃ）、図３参照）で保持されている。価格表示板２２は、図７（ａ）に示すように、その上半部２２ｆに、商品見本５に対応した間隔（ピッチ）で価格表示部２０が設けられている一方、下半部２２ｇは透明で何も印刷されていない。冷温表示板２３は、図７（ｂ）に示すように、冷温表示板２３のＨＯＴ商品の領域を示す部分は、赤色の半透明の背景色において「あったか〜い」と白抜きで印刷されており、また、ＣＯＬＤ商品の領域を示す部分は、青色の半透明の背景色において「つめた〜い」と白抜きで印刷されている。なお、冷温表示板２３の記載文字等は、これに限るものではなく、透光性を有して、ＨＯＴ商品（温かい）の雰囲気とＣＯＬＤ商品（冷たい）の雰囲気とを表現できる表示であればよい。
【００３４】
図５、図６、図４に示すように、商品展示棚４の前面部には、後側の冷温表示板２３の上部背面などに当てられる前面部背面４ａと、この前面部背面４ａの下端部から手前側に断面略Ｕ字状に湾曲する前面部底部４ｂと、正面視して前面部底部４ｂの左端部と中央部と右端部とからそれぞれ上方に延びる前面上延部４ｃなどが設けられ、正面視して前記前面上延部４ｃが設けられている箇所以外の部分は、商品展示棚４の前面部背面４ａにおける略下半部において、前後に貫通する横長の矩形孔４ｄが形成されている。一方、正面視して、前記上延部４ｃが設けられている箇所（３箇所）の前面部背面４ａには前記矩形孔４ｄが形成されておらず、商品展示棚４をなす板材がある状態（前面部背面４ａ’（図６（ｃ）参照））となっている。そして、この各前面部背面４ａ’に、手前側に突出する爪部４ｆが手前側に屈曲された形状に切り起こされて形成されており、各爪４ｆの間に、１組の冷温表示板２３および価格表示板２２が、上方から差し込まれることで装着可能に構成され、前記爪４ｆによって、冷温表示板２３および価格表示板２２が横方向に移動しないように位置規制されている。
【００３５】
そして、装着時には、手前側にある価格表示板２２の価格表示部２０を視認できるとともに、価格表示板２２の下半部２２ｇの透明部分を通して、後側に装着された冷温表示板２３の下半部、すなわち冷温表示部２１が、照明装置１４からの透過光で背面側から照明された状態で視認できるようになっている。
【００３６】
なお、図５（ａ）における４ｇは、商品見本５の下端部に形成された係止爪５ａが回転されながら嵌め込まれる異形孔で、図４に示すように、商品見本５がその内側から照明装置１４の光で照射され商品見本５が照明されるようになっている。
【００３７】
図８、図９などに示すように、価格表示部２０は、価格表示板２２において価格表示部２０が設けられる領域の中央部に、価格表示部２０の表示する販売価格の１０円の単位の桁を表示する表示用窓領域２４を形成し、表示用窓領域２４においてその一部（すなわち、販売価格の１０円の単位の桁に相当する１つの数字）が露出するように横長の可動体２５が横方向にスライド自在に挿入されて構成されている。また、価格表示板２２における価格表示部２０の表示用窓領域２４の左隣には「￥１」と記載され、右隣には「０」と記載されている。なお、可動体２５の残りの部分（表示用窓領域２４から露出していない部分）は、後述する左右の縦孔部を通して、価格表示板２２の裏面側に配設される。
【００３８】
可動体２５は、可撓性を有する薄肉の板状シート材（たとえば、ＰＥＴ：ポリエチレンテレフタレート）で構成し、概略的には左右に長い略矩形形状とされ、スライド方向に間隔をあけて複数個の数字（０〜９までの数字：ただし、この実施の形態では、よく使用されると考えられる数字が中央寄りに記載され、あまり使用されないと考えられる、例えば「９」が端の方に記載されている）が、白地に黒の文字色で記載されている。
【００３９】
また、図９（ａ）に示すように、価格表示板２２における表示用窓領域２４が設けられている箇所に、可動体２５における表示用窓領域２４によって手前側に露出する部分よりも左側に続く部分を価格表示板２２の裏面側に通過させる第１の孔部としての左縦孔部２２ａと、可動体２５における表示用窓領域２４によって手前側に露出する部分よりも右側方に続く部分を価格表示板２２の裏面側に通過させる第２の孔部としての右縦孔部２２ｂと、これらの左縦孔部２２ａと右縦孔部２２ｂとの間の部分であって、可動体２５における前面扉手前側に露出する部分を係止して、この部分が裏面側に移動することを阻止して手前側に露出した姿勢に維持する係止部２２ｃとが形成されている。また、この実施の形態では、さらに、価格表示板２２における表示用窓領域２４が設けられている箇所に、左縦孔部２２ａと右縦孔部２２ｂとの上下方向中央部同士を接続する連通孔部としての横孔部２２ｄを形成しており、この結果、左縦孔部２２ａと右縦孔部２２ｂと横孔部２２ｄとにより、略Ｈ字形状の孔が形成されている。
【００４０】
そして、可動体２５を装着する際には、これらの孔部に、可動体２５の上半部の一部を挿入した後、可動体２５を湾曲させながら前記上半部に続く下半部を挿入することで、最終的には、図８（ｃ）に示すように、左縦孔部２２ａと右縦孔部２２ｂとを可動体２５が通過し、図３、図８（ｂ）に示すように、表示用窓領域２４の箇所のみ手前側に露出する姿勢で、可動体２５をスライド自在の状態で装着できるよう構成されている。
【００４１】
また、図８（ａ）に示すように、可動体２５の左右の端部には、下方に膨出する膨出部２５ａ（この膨出部２５ａ分だけ、左縦孔部２２ａや右縦孔部２２ｂよりも上下寸法の幅が大きい）が形成され、これにより、可動体２５のスライド範囲が規制され、可動体２５が価格表示板２２から脱落し難いようになっている。また、可動体２５の左側の膨出部２５ａの横には、くびれ部２５ｂが形成され、このくびれ部２５ｂが設けられているラインで左側の膨出部２５ａを含む部分２５ａ’を後方に折り曲げる（図８（ｃ）参照）ことで、隣の可動体２５もスライド操作して、その端部同士がお互いに前後に重なる状態まで移動させたときに、必ず、後方に折り曲げた側が後方側となって引っ掛からず、スムーズに重なる状態に移動できるよう構成されている。なお、この効果は、くびれ部２５ｂがなくても発揮でき、前記端部（膨出部２５ａを含む部分２５ａ’）が後方に折り曲げられていれば得られる。
【００４２】
上記構成により、販売価格を変更する際には、図４において仮想線で示すように、商品展示棚４の前面部から価格表示板２２および冷温表示板２３を取り外して、価格表示板２２と冷温表示板２３とを分離させる。そして、価格表示板２２の該当する価格表示部２０に対して、これに対応する可動体２５を左右にスライドさせるだけで販売価格を容易に変更することができる。なお、可動体２５は、裏面側に出ている部分を操作してスライドさせてもよいが、手前側に露出する部分を触ってスライドさせてもよい。このようにして、該当する価格表示部２０の表示用窓領域２４に見える数字を確認しながら簡単かつ確実に販売価格（具体的には、販売価格の１０円単位の桁の数字）を変更することができる。
【００４３】
また、変更作業が終わったなら、この価格表示板２２の裏側に冷温表示板２３を合わせて商品展示棚４の前面部に挿入する。この場合に、価格表示板２２の裏側に冷温表示板２３を合わせるだけで、図４において実線で示すように、可動体２５の裏側への反りなどがなくなるので、可動体２５が取り付けられた価格表示板２２および冷温表示板２３を商品展示棚４の前面部に容易に装着できる。このように、販売価格の変更作業を容易に行うことができて作業時間も少なくて済み、作業性がよい。
【００４４】
また、価格変更に必要な部品である可動体２５を紛失することがないので、価格表示の変更ができないなどの不具合を発生することがない。また、可動体２５は可撓性を有する薄肉の板状シート材で構成しているため、従来用いていたような剛性を有する厚肉の部材と比較して、安価に製造できる。
【００４５】
また、可動体２５における表示用窓領域２４によって露出している部分は、係止部２２ｃにより奥側に移動することが阻止されて、価格表示板２２の表面と略同一面となった状態で露出しているので、従来の構造のように価格表示板における表示用窓領域の肉厚部分の枠が段差状に見えたりすることがなく、良好な体裁を保つことができる。また、自動販売機が屋外に配設されている場合に、日中、日差しの方向にかかわらず、表示部分に影ができ難くて、影により表示部分が見え難くなったりするおそれがないので、表示用窓領域２４に示された数字を良好に視認できる。
【００４６】
また、上記の実施の形態によれば、価格表示板２２における表示用窓領域２４が設けられている箇所に、左縦孔部２２ａと右縦孔部２２ｂとの一部同士を接続する連通孔部としての横孔部２２ｄを形成しているので、この横孔部２２ｄを通して薄肉の可動体２５を湾曲させながら、少ない手間で簡単に、左縦孔部２２ａと右縦孔部２２ｂとに通った状態とすることができる。
【００４７】
また、上記の実施の形態によれば、可動体２５の左右の端部に、下方に膨出する膨出部２５ａを形成したので、可動体２５のスライド範囲が規制され、価格変更時に可動体２５が価格表示板２２から脱落することを防止できて、脱落による作業性の低下を防止できる。
【００４８】
なお、横孔部２２ｄは、上述したように、左縦孔部２２ａと右縦孔部２２ｂとの上下方向中央部の位置で接続するように形成することで、より簡単に、可動体２５を装着することができるが、これに限るものではなく、左縦孔部２２ａと右縦孔部２２ｂとの上端部同士または下端部同士を接続するように形成してもよい。
【００４９】
また、図９（ｂ）に示すように、横孔部２２ｄを設けないことも可能である。この場合には、左縦孔部２２ａおよび右縦孔部２２ｂへの可動部２５の挿入作業が若干し難くなってしまう短所はあるものの、横孔部２２ｄを設けた場合と比較すると、価格表示板２２の孔部（左縦孔部２２ａおよび右縦孔部２２ｂ）周辺の強度が比較的高いまま保たれるので、この孔部周辺の変形やゆがみを低減することができ、見栄えが悪くなることを防止できる利点がある。
【００５０】
また、図９（ｃ）に示すように、価格表示板２２の裏面における表示用窓領域２４の近傍に、可動体２５の下辺部または上辺部に接触するような位置で裏面側に突出して、可動体の姿勢がずれることを規制する複数の姿勢規制部２７を設けてもよい。なお、図９（ｃ）に示す例では、価格表示板２２の裏面における表示用窓領域２４の左側下方と右側下方とに、可動体２５の下辺部に接触するような姿勢規制部２７を設けている。
【００５１】
この構成により、可動体２５の姿勢が傾斜するなどしてずれて、表示価格の見栄えが悪くなることを防止することができる。
また、表示用窓領域２４に表示される部分が左右にずれて数字の一部が見え難くならないようにするために、図９（ｄ）に示すように、可動体２５の上辺部や下辺部に、数字を記載しているピッチで窪む複数の凹部２５ｃを形成するとともに、この凹部２５ｃに係合可能な突起２８（可動体２５の姿勢が斜めにならないように規制する他の姿勢規制部としても機能する）を価格表示板２２の表面における表示用窓領域２４の上方や下方に突出させて形成し、スライドさせた際に、価格表示板２２の前記突起２８に可動体２５の凹部２５ｃが嵌り込みやすくなるよう構成してもよい。これにより、可動部２５をスライドさせた際に、表示用窓領域２４において数字の文字全体が良好に示される位置で、可動部２５が止まり易くなり、スライド位置を良好に位置決めし易くなって作業性が向上するとともに、数字の一部が隠れることを最小限に抑えることができて信頼性も向上する。また、自動販売機が交通量の多い道路に面して設置されるなど、自動販売機に振動が加わる場合には、前記突起２８や可動体２５の凹部２５ｃが設けられていないと、振動で可動体２５の位置がずれてしまうおそれがあるが、このように、突起２８や可動体２５の凹部２５ｃを設けることでこのような不具合を生じることを防止できる。
【００５２】
なお、上記実施の形態においては、表示用窓領域２４に１桁の数字が表示される場合を述べたが、これに限るものではなく、表示用窓領域２４に２桁の数字が表示されるようにしてもよく、この場合には、可動体２５に２桁の数字を複数記載している必要がある。
【図面の簡単な説明】
【００５３】
【図１】本発明の実施の形態に係る自動販売機の全体斜視図である。
【図２】同実施の形態に係る自動販売機の全体断面図である。
【図３】同自動販売機の展示室の要部正面図である。
【図４】同展示室の商品展示棚およびその近傍箇所の簡略的な側面断面図である。
【図５】（ａ）および（ｂ）は同商品展示棚の部分切欠平面図および部分切欠正面図である。
【図６】（ａ）は図５（ｂ）のVIａ−VIａ線矢視断面図、（ｂ）は図５（ｂ）のVIｂ−VIｂ線矢視断面図、（ｃ）は図５（ｂ）のVIｃ−VIｃ線矢視断面図、（ｄ）は商品展示棚の側面図である。
【図７】（ａ）〜（ｃ）は同実施の形態に係る価格表示板、冷温表示板、および両表示板を重ねた際のそれぞれの正面図である。
【図８】（ａ）は同実施の形態に係る可動体の正面図、（ｂ）は可動体を取り付けた価格表示板および冷温表示板を重ねた状態で、価格表示部および冷温表示部を正面から見た正面図、（ｃ）は可動体を取り付けた価格表示板と冷温表示板とを重ねる前の状態を簡略的に示す平面図である。
【図９】（ａ）は同実施の形態に係る価格表示板の要部正面図、（ｂ）は他の実施の形態に係る価格表示板の要部正面図、（ｃ）はその他の実施の形態に係る可動体を取り付けた価格表示板の要部正面図、（ｄ）はさらに他の実施の形態に係る可動体を取り付けた価格表示板の要部正面図である。
【図１０】従来の自動販売機の価格表示装置の側面断面図である。
【図１１】同従来の自動販売機の価格表示装置の表示用部材の斜視図である。
【図１２】同従来の自動販売機の価格表示装置の商品展示棚および表示用部材の斜視図である。
【図１３】（ａ）および（ｂ）は他の従来の自動販売機の価格表示装置の側面断面図および正面図である。
【図１４】同他の従来の自動販売機の価格表示装置の商品展示棚および表示用部材の斜視図である。
【符号の説明】
【００５４】
１      前面扉
２      商品
３      自動販売機本体
４      商品展示棚
５      商品見本
６      展示室
７      中扉（背面扉）
１１    商品選択ボタン
２０    価格表示部
２１    冷温表示部
２２    価格表示板
２２ａ  左縦孔部（第１孔部）
２２ｂ  右縦孔部（第２孔部）
２２ｃ  露出姿勢維持部
２２ｄ  横孔部（連通孔部）
２３    冷温表示板（板状体）
２４    表示用窓領域
２５    可動体
２７    姿勢規制部
２８    突起（他の姿勢規制部）
【図１】
2008243101.tif 000003
【図２】
2008243101.tif 000004
【図３】
2008243101.tif 000005
【図４】
2008243101.tif 000006
【図５】
2008243101.tif 000007
【図６】
2008243101.tif 000008
【図７】
2008243101.tif 000009
【図８】
2008243101.tif 000010
【図９】
2008243101.tif 000011
【図１０】
2008243101.tif 000012
【図１１】
2008243101.tif 000013
【図１２】
2008243101.tif 000014
【図１３】
2008243101.tif 000015
【図１４】
2008243101.tif 000016